(57)【要約】【課題】同報通知メッセージデータの変更処理が構内ＰＨＳシステム回線を用いて変更が行える、いわばオンライン変更処理が行える無線通信システムを提供することにある。【解決手段】任意の端末装置３，４に同報通知メッセージを表示させる無線通信システムであって、制御装置１は、所定の端末装置５から、同報通知メッセージを変更するメッセージ変更特番と、メッセージ番号と、変更メッセージ内容とを受信すると、メッセージ内容を、メッセージ番号に対応する変更メッセージに変更して登録し、任意の端末装置は、制御装置から、同報通知メッセージを変更するメッセージ変更特番と、メッセージ番号と、変更メッセージ内容とを受信すると、メッセージ内容を、メッセージ番号に対応する変更メッセージに変更して登録する構成とした。【選択図】図１
2009278151.tif 000002
【特許請求の範囲】
【請求項１】
制御装置と基地局装置とを有する固定局と、複数の端末装置を有する移動局とからなり、任意の前記端末装置に同報通知メッセージを表示させる無線通信システムであって、
前記制御装置は、所定の端末装置から、同報通知メッセージを変更するメッセージ変更特番と、メッセージ番号と、変更メッセージ内容とを受信すると、メッセージ内容を、該メッセージ番号に対応する変更メッセージに変更して登録し、
前記任意の端末装置は、前記制御装置から、前記同報通知メッセージを変更するメッセージ変更特番と、メッセージ番号と、変更メッセージ内容とを受信すると、メッセージ内容を、該メッセージ番号に対応する変更メッセージに変更して登録する構成とした無線通信システム。
【発明の詳細な説明】
【技術分野】
【０００１】
本発明は、移動無線伝送システム方式に関し、特に端末装置への同報通知に供して好適な無線通信システムに関する。
【背景技術】
【０００２】
簡易型携帯電話システム（ＰＨＳ；Ｐｅｒｓｏｎａｌ  Ｈａｎｄｙｐｈｏｅ  Ｓｙｓｔｅｍ）は、事業所内の通信網である構内通信システムに適用され、その機能が拡充されてきている（以下、構内ＰＨＳシステム）。
【０００３】
この構内ＰＨＳシステムを構成する主要な装置は、通信回線制御を行う制御装置、無線通信の送受信を行う基地局装置（以下、基地局）および、携帯端末器である移動局装置（以下、ＰＨＳ端末）である。
【０００４】
構内ＰＨＳシステムの一運用形態として、文字情報による伝達手段があり、文字情報を複数のＰＨＳ端末に一斉通知させる同報通知モードがある。これにより、グループ登録またはエリア登録されたＰＨＳ端末のそれぞれに対し、同報通知が行われる。
【０００５】
同報通知の内容は、随時、変更される。この変更処理を効率よく行う必要がある。
【０００６】
図７に、従来技術の同報通知の動作フローチャート図を示し、概要を説明する。
【０００７】
指令の行える所定のＰＨＳ端末等（同報通知指令；Ｓ１０）から同報通知特番（例えば、同報通知（グループ）特番９０；図６参照）と、そこで指定されるメッセージ番号とが発信される（Ｓ１１）。
【０００８】
同報通知番号およびメッセージ番号を受信したグループの各ＰＨＳ端末の表示画面に、メッセージ番号で参照されるメッセージ内容が、表示し通知される（Ｓ１２）。
【０００９】
次に、同報通知内容の変更処理は、同報通知特番（例えば、９０）と、そこで指定されるメッセージ番号で参照されるメッセージ内容を別のメッセージに変更したい場合、次のオフライン操作によるメッセージ書換え作業を行う。
【００１０】
書換え作業を行うべき、（運用を中止し引き上げた）ＰＨＳ端末（１，２，３、・・・、ｎ）を揃えておき、順次、設定器に接続し、設定器に登録された変更メッセージ内容に変更（書換え）を行う。そこで同報通知特番（例えば、９０）と、そこで指定されるメッセージ番号で参照されるメッセージ内容が変更後のメッセージに登録変更され、以下順次残りの端末に対し、同様手順の変更処理を行う（Ｓ１３）（図５参照）。
【００１１】
なお変更処理は、接続された保守端末によって、制御装置に対しても行われる。
【００１２】
次に、実際の運用に戻され、指令の行える所定のＰＨＳ端末（Ｓ１４）から同報通知特番（例えば、９０）と、そこで指定されるメッセージ番号とが発信される（Ｓ１５）。
【００１３】
同報通知特番およびメッセージ番号を受信したグループの各ＰＨＳ端末の表示画面に、メッセージ番号で参照される変更後のメッセージ内容が読み出されて、表示し通知される（Ｓ１６）。
【００１４】
この従来技術では、図５で示されるように、設定器が各ＰＨＳ端末に対して、順次同報通知メッセージデータの書換えを行わなければならない。いわば、ｎ倍手作業となり、かつ、制御装置に対する変更処置にはタイムラグが生じる。
【００１５】
上記の従来技術を改善しようとした先行技術として、基地局からの着信設定情報を受信した端末が、一斉に音色などによる着信モードの切替えの設定変更を行う技術の提案がある（例えば、特許文献１  参照）。
【００１６】
また、端末およびシステム（制御装置等）に用いられる内線番号などのパラメータ変更を端末とシステムが連動して行える技術の提案がある（例えば、特許文献２  参照）。
【特許文献１】特開２００１−９５０５２号公報（図１）
【特許文献２】特開２００３−１０１４５６号公報（図１）
【発明の開示】
【発明が解決しようとする課題】
【００１７】
図５の従来技術では、グループおよび、またはエリアとして割り当てられた各ＰＨＳ端末に登録され、伝送により指定された番号の同報通知メッセージデータを表示するシステムにおいて、同報通知メッセージデータの変更処理がオフライン操作であったので、ｎ倍手作業となり、かつ、制御装置に対する変更処置にはタイムラグが生じる問題があった。
【００１８】
本発明の目的は、上記従来技術の問題点を解決し、同報通知メッセージデータの変更処理を構内ＰＨＳシステム回線を用いて変更できる、いわばオンライン変更処理が行える無線通信システムを提供することにある。
【課題を解決するための手段】
【００１９】
この目的を達成するために、本発明の無線通信システムは、制御装置と基地局装置とを有する固定局と、複数の端末装置を有する移動局とからなり、任意の前記端末装置に同報通知メッセージを表示させる無線通信システムであって、前記制御装置は、所定の端末装置から、同報通知メッセージを変更するメッセージ変更特番と、メッセージ番号と、変更メッセージ内容とを受信すると、メッセージ内容を、該メッセージ番号に対応する変更メッセージに変更して登録し、前記任意の端末装置は、前記制御装置から、前記同報通知メッセージを変更するメッセージ変更特番と、メッセージ番号と、変更メッセージ内容とを受信すると、メッセージ内容を、該メッセージ番号に対応する変更メッセージに変更して登録する構成とした。
【発明の効果】
【００２０】
本発明によれば、同報通知メッセージデータの変更処理がオンライン操作で行われるので、ｎ倍手作業が不要となり、かつ、制御装置に対する変更処置にはタイムラグが生じることもなく、実運用時の運用中断時間（システムダウンタイム）も極力無くすようにでき、システムのメンテナンス作業が大幅に削減し、その費用削減も絶大である。また、個別書換え時のミスも無くなり、システムの信頼性向上にも寄与する。
【発明を実施するための最良の形態】
【００２１】
図１に、本発明の一実施形態の無線通信システムのブロック図を示し、そのシステムの構成について説明する。
【００２２】
このシステムは、制御装置１と基地局装置２からなる固定局、グループ端末機（ＰＨＳ端末機）３、エリア端末機（ＰＨＳ端末機）４および所定の端末機（ＰＨＳ端末機）５からなる移動局、更に、保守端末機６、指令卓７、電話機８およびＰＢＸ（電話回線網）９から構成されている。
【００２３】
前記制御装置１は、有線端末機器の接続制御および、基地局の接続制御を行う。
【００２４】
前記基地局装置２は、制御装置１と有線接続し、ＰＨＳ端末機と無線送受信する少なくとも１つの基地局を有する。
【００２５】
前記グループ端末機（ＰＨＳ端末機）３は、基地局と無線送受信する複数の端末機によってグループ構成をなす。
【００２６】
前記エリア端末機（ＰＨＳ端末機）４は、基地局と無線送受信する複数の端末機によってエリア構成をなす。
【００２７】
前記所定の端末機（ＰＨＳ端末機）５は、基地局と無線送受信する少なくとも１つ有する。
【００２８】
前記保守端末機６は、制御装置１と有線接続し、メッセージデータ等の設定値を変更する機能を有する。
【００２９】
前記指令卓７は、同報通知の指令を発する。
【００３０】
前記電話機８は、音声連絡用途である。
【００３１】
前記ＰＢＸ（電話回線網）９は、外線電話網との事業所内回線交換を行う。
【００３２】
１１および１２は、制御装置１内に有り、基地局の接続制御を行う基地局制御インタフェースユニットである。
【００３３】
１３は、制御装置１内に有り、有線端末機器であるＰＢＸ９，電話機８、指令卓７および、保守端末機６の各接続制御を行う主制御基板である。
【００３４】
なお、有線端末機器であるＰＢＸ９，電話機８および、指令卓７を、記載はしていないが、主制御基板１３とは別の基板に接続して接続制御を行うようにしても構わない。
【００３５】
および、保守端末機６の各接続制御を行う
【００３６】
図２に、本発明の一実施形態の制御装置１に登録される同報通知メッセージデータの構成表を示す。
【００３７】
例えば、メッセージ番号１にメッセージ内容△△△△△を所定のメモリ位置に記憶し、同様に、メッセージ番号２にメッセージ内容×××××を、メッセージ番号３にメッセージ内容○○○○○を、それぞれ所定のメモリ位置に記憶し、以下同様に所望の数のメッセージ内容に対して、メッセージ番号を付与して、所定のメモリ位置に記憶している。
【００３８】
このように、全種類のメッセージ内容がテーブル化され、同報通知メッセージデータとして制御装置１のメモリに記憶されている。
【００３９】
図３に、本発明の一実施形態の同報通知設定項目の構成表を示す。
【００４０】
例えば、複数のＰＨＳ端末（１・・・ｍ）をグループとして登録し、そのグループに対して同報通知されるグループ端末３、あるいは、複数のＰＨＳ端末（１・・・ｋ）をエリアとして登録し、そのエリアに対して同報通知されるエリア端末４がある（図１参照）。
【００４１】
グループ端末３に対する同報通知のための同報通知設定項目（伝送コード）として、同報通知（グループ）特番に、番号９０が割り付けられている。同様に、エリア端末４に対する同報通知のための同報通知設定項目（伝送コード）として、同報通知（エリア）特番に、番号９１が割り付けられている。
【００４２】
更に、グループ端末３または、およびエリア端末４に対する同報通知メッセージ内容の変更のための同報通知設定項目（伝送コード）として、同報通知メッセージ変更特番として、番号９２が割り付けられている。
【００４３】
基地局からＰＨＳ端末に対して、同報通知メッセージ内容の同報通知を行うには、特番９０または、および特番９１と所望のメッセージ番号とを伝送する。
【００４４】
所定のＰＨＳ端末５から制御装置１に対して、同報通知メッセージ内容の変更処理を行うには、特番９２と、所望のメッセージ番号と、変更されたメッセージ内容とを伝送する。
【００４５】
制御装置１から任意のＰＨＳ端末３，４に対して、同報通知メッセージ内容の変更処理を行うには、特番９２と、所望のメッセージ番号と、変更されたメッセージ内容とを伝送する。
【００４６】
図４に、本発明の一実施形態の同報通知の動作フローチャート図を示し、システム動作の流れを説明する。
【００４７】
先ず、実際の運用の同報通知に先立ち、予め、制御装置１には、当初、定めた全部の同報通知メッセージデータテーブルおよび、同報通知設定項目テーブルが備えられ、各ＰＨＳ端末には、当初、定めた、必要な、限定された同報通知メッセージデータテーブルおよび、同報通知設定項目テーブルが備えられている。
【００４８】
Ｓ１は同報通知指令ステップであり、同報通知の通常動作であり、指令を発することの可能な所定のＰＨＳ端末５から同報通知特番（例えば、９０）と、特番９０で指定されるメッセージ番号（例えば、（1））とを発信するために、その指令を発する。
【００４９】
指令を発することの可能な端末は、電話機８または保守端末６でもよい。
【００５０】
Ｓ２は同報通知特番およびメッセージ番号の発信ステップであり、同報通知指令ステップＳ１にて指定された同報通知特番およびメッセージ番号を伝送コードとして制御装置１、基地局２１，２２からグループ端末３および、または、エリア端末４へ向けて発信する。
【００５１】
Ｓ３は同報通知メッセージ表示ステップであり、同報通知番号およびメッセージ番号を受信した、グループ端末３および、または、エリア端末４の各ＰＨＳ端末の表示画面に、メッセージ番号（例えば、（1））で参照されるメッセージ内容「△△△△△」を読み出して、表示し、操作者に通知する。ここまでが同報通知の通常動作である。
【００５２】
次に、メッセージ内容変更処理を行う同報通知の変更動作の流れを説明する。
【００５３】
先ず、同報通知メッセージ変更特番（例えば、９２；メッセージ変更処理時のみに用いられる特番）と関連付けられたメッセージ番号（例えば、（1））で参照されるメッセージ内容「△△△△△」を「□□□□□」に変更したい場合、オンライン操作による書換え作業（ダウンロード）の流れに入る。
【００５４】
Ｓ４は同報通知メッセージ変更処理（保守端末）ステップであり、先ず、ＰＨＳシステム回線を経由して接続される所定のＰＨＳ端末５、又は、制御装置１に接続された保守端末６が、例えば、メッセージ番号１に登録されたメッセージ内容「△△△△△」を「□□□□□」に変更（書換え）する編集操作を行い、次いで、当該メッセージ番号、同報通知メッセージ変更特番および変更後のメッセージ内容を制御装置１へ伝送（転送）する。
【００５５】
Ｓ５は同報通知メッセージ変更登録（制御装置）ステップであり、前記所定のＰＨＳ端末５または保守端末６の伝送（転送）動作に伴い、同報通知メッセージ変更特番（例えば、９２）と、（９２で）指定されるメッセージ番号（例えば、（1））で参照される変更後のメッセージ内容「□□□□□」が制御装置に登録変更される。
【００５６】
Ｓ６は同報通知メッセージ変更登録（端末）ステップであり、前記操作に引き続き、制御装置１から書換え対象となるグループ端末３または、および、エリア端末４の各ＰＨＳ端末に対し、自動で、順次または同時に対象の端末を指定し、回線接続し、同報通知メッセージ変更特番（例えば、９２）と、同報通知メッセージ変更特番（例えば、９２）に関連付けられたメッセージ番号（例えば、（1））と、メッセージ番号（例えば、（1））で参照される変更後のメッセージ内容である「□□□□□」とを電文送信し、受信された各端末は、所定のメモリエリアに記憶された旧メッセージ内容を新メッセージ内容に変更する。
【００５７】
Ｓ７は同報通知指令ステップであり、実際の運用に戻され、指令の行える所定のＰＨＳ端末等から同報通知特番（例えば、９０）と、そこで（９０で）指定されるメッセージ番号（例えば、（1））とが発信の指令を発する。
【００５８】
Ｓ８は同報通知特番およびメッセージ番号の発信ステップであり、指令の行える所定のＰＨＳ端末５等から、伝送コードである同報通知特番（例えば、９０）と、そこで（９０で）指定されるメッセージ番号（例えば、（1））とを発信する。
【００５９】
Ｓ８で発信された伝送コードは、所定のＰＨＳ端末５、基地局２（２１）、制御装置１、再び、基地局２を経て、グループ端末３または、エリア端末４の各ＰＨＳ端末に伝送される。
【００６０】
次いで、Ｓ９の同報通知メッセージ表示ステップは、同報通知特番およびメッセージ番号を受信したグループ端末３または、エリア端末４の各ＰＨＳ端末は、メッセージ番号（例えば、（1））で参照されるメッセージ内容「□□□□□」を読み出して、表示画面に表示し、操作者に通知する。
【００６１】
以上の処理により、オンライン変更処理を行うことができる。
【産業上の利用可能性】
【００６２】
本発明は、移動通信に用いられる無線通信システムに適用されて、一例として、事業所内の連絡網として利用することができる。
【図面の簡単な説明】
【００６３】
【図１】本発明の無線通信システムのブロック図である。
【図２】本発明の制御装置に登録される同報通知メッセージデータの構成表である。
【図３】本発明の同報通知設定項目の構成表である。
【図４】本発明の同報通知の動作フローチャート図である。
【図５】従来技術の同報通知設定の構成図である。
【図６】従来技術の同報通知設定項目の構成表である。
【図７】従来技術の同報通知の動作フローチャート図である。
【符号の説明】
【００６４】
１  制御装置
２  基地局装置
３  グループ端末機（ＰＨＳ端末機）
４  エリア端末機（ＰＨＳ端末機）
５  所定の端末機（ＰＨＳ端末機）
６  保守端末機
７  指令卓
８  電話機
９  ＰＢＸ（電話回線網）
１１，１２  基地局制御インタフェース
１３  主制御基板
【図１】
2009278151.tif 000003
【図２】
2009278151.tif 000004
【図３】
2009278151.tif 000005
【図４】
2009278151.tif 000006
【図５】
2009278151.tif 000007
【図６】
2009278151.tif 000008
【図７】
2009278151.tif 000009